(57)【要約】【課題】  遊技者の遊技意識を向上させ、かつ、パチンコ店内の活性化雰囲気を高めることができるパチンコ機の玉入れ箱を提供すること。【解決手段】  透明材または半透明材により形成した箱体２１の全周側板部２３に、外板２３ａと内板２３ｂとで形成した有底の溝状部２４を設け、多数のパチンコ玉２５を前記溝状部２４に一層状態に詰め込んで蓋体２６によって被蓋し、玉入れ箱２０の側板部２３の板面にパチンコ玉２５が透けて見える構成となっている。【選択図】        図２
2006020910.tif 000002
【特許請求の範囲】
【請求項１】
パチンコ玉の玉入れ箱において、
透明材または半透明材からなる箱体の全周側板部に、その側板面に沿うようにして多数のパチンコ玉を埋設してなるパチンコ玉の玉入れ箱。
【請求項２】
パチンコ玉の玉入れ箱において、
透明材または半透明材からなる箱体の全周側板部に、その側板面に沿う溝状部を形成し、その溝状部に多数のパチンコ玉を嵌入した後、当該溝状部を被蓋してなるパチンコ玉の玉入れ箱。
【請求項３】
請求項１に記載したパチンコ玉の玉入れ箱において、
合成樹脂材などで形成したパチンコ玉の擬似玉を箱体の全周側板部に埋設してなるパチンコ玉の玉入れ箱。
【請求項４】
請求項２に記載したパチンコ玉の玉入れ箱において、
合成樹脂材などで形成したパチンコ玉の擬似玉を箱体の溝状部に嵌入してなるパチンコ玉の玉入れ箱。
【発明の詳細な説明】
【技術分野】
【０００１】
本発明は、パチンコ玉を収納する玉入れ箱に関する。
【背景技術】
【０００２】
広く知られているように、パチンコ機では、出玉が多くなり玉受け皿に入り切れなくなると、玉受け皿から玉入れ箱にパチンコ玉を移す。
玉入れ箱は、一回の大当たりによって排出される出玉量によってほぼ一杯となる容積となっている。
【０００３】
なお、パチンコ機の機種などによって一回の大当たりによって排出される出玉の数量が異なっているため、玉入れ箱にも容積の異なる複数種類のものが用意されている。
【０００４】
図８は玉入れ箱の一例として示した斜視図、図９は同玉入れ箱の断面図である。
図示する如く、この種の玉入れ箱１０は、横長の四辺形箱体であって、その長手方向両側には取っ手部１１ａ、１１ｂが突出形成されており、また、この玉入れ箱１０は、合成樹脂材で一体形成されている。
なお、この図において、１２はパチンコ玉を示す。
【０００５】
上記した玉入れ箱１０は、パチンコ機の前下位置に設けられている棚台に置き、パチンコ玉が玉受け皿に溜るに連れ、その玉受け皿から玉入れ箱１０にパチンコ玉を移す。
【０００６】
なお、所定の操作で玉受け皿の孔部が開放し、この孔部から玉入れ箱１０内にパチンコ玉が落入するようになっているものが多い。
【０００７】
パチンコ玉が一杯となった玉入れ箱１０は、遊技者の傍らのフロアに移され、さらに、次に用意された玉入れ箱１０が一杯になると、先にフロアに置かれた玉入れ箱１０の上に次の玉入れ箱が積み重ねられる。
【０００８】
したがって、パチンコ玉の獲得数量が多くなるほど、遊技者の傍らに積み重ねられる玉入れ箱の段数が増加することから、遊技者本人の満足感を高めると共に、他の遊技者に対して大当たりを目立たせることになる。
【０００９】
また、積み重ねの玉入れ箱を有する遊技者が多いほどパチンコ店内の雰囲気が活性化される上、そのパチンコ店の人気も向上する。
【００１０】
【特許文献１】特開平９−２４８３８０号公報
【特許文献２】特開２００４−１４１６０４号公報
【発明の開示】
【発明が解決しようとする課題】
【００１１】
上記した玉入れ箱１０は、実際にはパチンコ玉を満杯（一杯）の状態で積み重ねることが少ない。
すなわち、満杯の玉入れ箱１０を積み重ねる場合には、パチンコ玉がこぼれ落ちてフロアに散乱することとなるため、玉入れ箱１０には余裕をもってパチンコ玉を収納させた状態で順次積み重ねることが行なわれる。
【００１２】
また、玉入れ箱１０の積み重ね段数が多くなるほど遊技者本人の満足感を高め、また、他の遊技者に対する注目度を高めることができるので、玉入れ箱１０には、例えば、８分目程度の余裕をもってパチンコ玉を収納させて積み重ねすることにも有利さが生ずる。
【００１３】
ただ、上記した玉入れ箱１０は、透明材または半透明材で形成されたものが多く、このような玉入れ箱１０は、その側壁面を透してパチンコ玉が満杯にないことが分かるため、上記のように数段に積み重ねても他の遊技者から見ると、充分な大当たりとなっていない感覚が生じ、また、店内活性化の雰囲気を高める上において必ずしも好ましくない。
【００１４】
本発明は上記した実情にかんがみ、玉入れ箱を積み重ねても玉こぼれせず、その上、遊技者の遊技意識を向上させ、かつ、パチンコ店内の活性化雰囲気を高めることができるパチンコ玉の玉入れ箱を提供することを目的とする。
【課題を解決するための手段】
【００１５】
上記した目的を達成するため、本発明では、第１の発明として、パチンコ玉の玉入れ箱において、透明材または半透明材からなる箱体の全周側板部に、その側板面に沿うようにして多数のパチンコ玉を埋設してなるパチンコ玉の玉入れ箱を提案する。
【００１６】
第２の発明としては、パチンコ玉の玉入れ箱において、透明材または半透明材からなる箱体の全周側板部に、その側板面に沿う溝状部を形成し、その溝状部に多数のパチンコ玉を嵌入した後、当該溝状部を被蓋してなるパチンコ玉の玉入れ箱を提案する。
【００１７】
第３の発明としては、第１の発明のパチンコ玉の玉入れ箱において、合成樹脂材などで形成したパチンコ玉の擬似玉を箱体の全周側板部に埋設してなるパチンコ玉の玉入れ箱を提案する。
【００１８】
第４の発明としては、第２の発明のパチンコ玉の玉入れ箱において、合成樹脂材などで形成したパチンコ玉の擬似玉を箱体の溝状部に嵌入してなるパチンコ玉の玉入れ箱を提案する。
【発明の効果】
【００１９】
第１、第２発明の玉入れ箱は、全周の側板部内にパチンコ玉が存在し、かつ、その側板部が透明又は半透明の形態のものとなるから、玉入れ箱の側方から見ると、恰かもパチンコ玉を満杯に収納してある玉入れ箱に見える。
【００２０】
したがって、パチンコ玉を一杯にせずに余裕をもって収納した玉入れ箱を積み重ねても、満杯の玉入れ箱が積み重ねられたと同様に見える。
この結果、大当たりの環境を作り出すことができるので、遊技者各々の活気を高めると共に、店内雰囲気の活性化に大きな効果となる。
【００２１】
上記した第１、第２の発明の玉入れ箱は、全周の側板部にパチンコ玉を埋設し、また、その側板部の溝状部にパチンコ玉を嵌入する構成となっているため、玉入れ箱の重量が増す。
【００２２】
第３、第４の発明はこの問題を解決したもので、金属材のパチンコ玉に換えて、合成樹脂材で形成したパチンコ玉の擬似玉を全周の側板部に埋設し、また、側板部の溝状部に嵌入した玉入れ箱となっている。
【００２３】
このように構成した玉入れ箱は、パチンコ玉による重量の増加がないから、従来の玉入れ箱と同様に取り扱うことができる。
【発明を実施するための最良の形態】
【００２４】
次に、本発明の一実施形態について図面に沿って説明する。
図１は玉入れ箱２０の正面図、図２は図１上のＡ−Ａ線断面図である。
【００２５】
これらの図面に示すように、２１は合成樹脂材で横長の四辺形に形成した箱体で、その両端部には取っ手部２２ａ、２２ｂが一体的に設けてある。
また、この箱体２１は透明材或いは半透明材で形成してあり、その側板部２３には溝状部２４が設けてある。
【００２６】
すなわち、上記の箱体２１は、長辺側と短辺側の側板部２３が外板２３ａと内板２３ｂとで一体形成してあり、これら外板２３ａと内板２３ｂとで箱体２１の全周となる側板部２３に有底の溝状部２４を形成している。
【００２７】
そして、外板２３ａと内板２３ｂはパチンコ玉２５の直径に合せた間隔とし、溝状板２４に嵌入されるパチンコ玉２５がこれら外板２３ａと内板２３ｂに沿って一層で配列されるようになっている。
【００２８】
したがって、箱体２１の全周の側板部２３にリング状に形成されている溝状部２４内に多数のパチンコ玉２５を詰め込むことにより、パチンコ玉２５が側板部２３の板面に沿って一層配列となって面状形成される。
【００２９】
また、溝状部２４をパチンコ玉２５で充填した後に、溝状部２４のリング状開口部をリング枠状の蓋体２６によって被蓋する。
【００３０】
蓋体２６は接着剤を使って図示するように箱体部に固着させることにより、パチンコ玉２５の抜け出しを防止するものである。
なお、蓋体２６は透明材または半透明材で形成することが好ましいが、不透明の蓋体としてもよい。
【００３１】
上記のように構成した玉入れ箱２０は、箱体２１の透明材または半透明材で一体形成されているので、溝状部２４に嵌入したパチンコ玉２５が外板２３ａを透して側板部２３の外部から見ることができる。
【００３２】
すなわち、図３に示した玉入れ箱２０の斜視図より分かるように、パチンコ玉２５が全周の側板部２３から観察することができる。
このことから、玉入れ箱２０には実際に獲得したパチンコ玉が入っていない場合でも、パチンコ玉が恰かも満杯となっているように見える玉入れ箱となる。
【００３３】
この結果、図４に示す如く、玉入れ箱２０には、実際に獲得したパチンコ玉を満杯に収納しないで積み重ねした場合でも、積み重ねされた玉入れ箱２０にはパチンコ玉が満杯となっているように観賞されることから、各々の遊技者の注目を集めることができる。
【００３４】
このことから、多くの遊技者に活気を与える一方、店内雰囲気の活性化に大きな効果をもたらすことになる。
【００３５】
一方、玉入れ箱２０に収納したパチンコ玉２５には静電気が帯電し、この静電気が手指などを介して放電するために感電することがある。
【００３６】
この問題を解決するため、図５、図６、図７に示したように、側板部２３の溝状部２４に嵌入したパチンコ玉２５を介して静電気の放電路を形成するようにしてもよい。
【００３７】
具体的には、溝状部２４の最上位置のパチンコ玉２５を部分的に露出させる小孔２６ａを蓋体２６の一部に設けると共に、その最下位置のパチンコ玉２５を部分的に露出させる小孔２４ａを溝状部２４の底部に形成し、さらに、溝状部２４を形成する内板２３ｂには、溝状部２４のパチンコ玉と玉入れ箱内のパチンコ玉２５とを接触させる小孔２１ｂを形成する。
【００３８】
このように構成すれば、玉入れ箱２０内のパチンコ玉２５と溝状部２４内のパチンコ玉２５とが電気的に接続され、また、玉入れ箱２０を積み重ねると、各段の玉入れ箱２０の溝状部内のパチンコ玉が電気的に接続されるから、パチンコ玉２５が玉入れ箱２０に満杯となっていなくとも、静電気を確実に放電させることができる。
【００３９】
以上、本発明の一実施形態について説明したが、パチンコ玉２５を側板部２３に形成した溝状部２４に嵌入させる構成にかぎらず、箱体２１の形成時にパチンコ玉２５をその側板部２３に直接に埋設させる構成とすることもできる。
【００４０】
また、金属材からなる実際のパチンコ玉を溝状部２４に嵌入させる構成としたが、このように構成すると、玉入れ箱２０の重量が増すから、合成樹脂材などで形成したパチンコ玉２５の擬似玉を溝状部２４に上記同様に嵌入し、また、側板部２３に埋設する構成とすることができる。
さらに、本発明の実施に際しては、図５、図６、図７に示した静電気の放電手段については必ずしも備えなくともよい。
【産業上の利用可能性】
【００４１】
パチンコ機のパチンコ玉を収納する玉入れ箱に適用する。
【図面の簡単な説明】
【００４２】
【図１】本発明の一実施形態として示した玉入れ箱の正面図である。
【図２】図１上のＡ−Ａ線断面図である。
【図３】上記玉入れ箱の斜視図である。
【図４】玉入れ箱を積み重ねた状態を示す断面図である。
【図５】静電気の放電手段を示すための玉入れ箱の一部切欠き正面図である。
【図６】図６上のＢ−Ｂ線断面図である。
【図７】玉入れ箱を積み重ねたときの静電気の放電路を示す一部切欠き断面図である。
【図８】従来例として示した玉入れ箱の斜視図である。
【図９】従来例の玉入れ箱の断面図である。
【符号の説明】
【００４３】
２０  玉入れ箱
２１  箱体
２３  側板部
２３ａ  外板
２３ｂ  内板
２４  溝状部
２５  パチンコ玉
２６  蓋体
【図１】
2006020910.tif 000003
【図２】
2006020910.tif 000004
【図３】
2006020910.tif 000005
【図４】
2006020910.tif 000006
【図５】
2006020910.tif 000007
【図６】
2006020910.tif 000008
【図７】
2006020910.tif 000009
【図８】
2006020910.tif 000010
【図９】
2006020910.tif 000011